(57)【要約】【課題】空間演出照明に適したグラデーション面光源を簡便な方法で実現するための導光板を提供する。【解決手段】光が入射する入光面と、前記入光面に交差する方向に配置されて前記入光面から入射した光を面上に出射する出光面とを有する導光板であって、前記出光面から出射される光の輝度分布が、前記入光面側からその反対側に行くにつれて減少し、かつ、その反対側の末端で非発光になるようにされており、１ｍｍあたりの吸光度が０．０１から０．０３までであり、かつ、１ｍｍあたりの内部ヘイズが０．５９から０．６４までの範囲であることを特徴とする導光板。【選択図】図１
2019029201.tif 000002
【特許請求の範囲】
【請求項１】
光が入射する入光面と、前記入光面に交差する方向に配置されて前記入光面から入射した光を面上に出射する出光面とを有する導光板であって、
前記出光面から出射される光の輝度分布が、前記入光面側からその反対側に行くにつれて減少し、かつ、その反対側の末端で非発光になるようにされており、１ｍｍあたりの吸光度が０．０１から０．０３までであり、かつ、１ｍｍあたりの内部ヘイズが０．５９から０．６４までの範囲であることを特徴とする導光板。
【請求項２】
前記導光板の材料は、ポリ塩化ビニルである
請求項１に記載の導光板。
【請求項３】
前記入光面を含む少なくとも１つの面に、ハードコート層が設けられている
請求項１又は２記載の導光板。
【請求項４】
前記入光面以外の少なくとも１つの面に、光吸収層または光反射層が設けられている
請求項１から３までのいずれか１項記載の導光板。
【請求項５】
前記入光面を含む少なくとも１つの面に、無反射層または低反射層が設けられている
請求項１から４までのいずれか１項記載の導光板。
【請求項６】
前記導光板の、入光面を含む少なくとも１つの面に、情報が印刷されている
請求項１から５までのいずれか１項記載の導光板。
【請求項７】
少なくとも前記出光面に光を透過する意匠シートが設けられている
請求項１から６までのいずれか１項記載の導光板。
【請求項８】
請求項１から７までのいずれか１項に記載の導光板と、
前記入光面と対面する位置に設けられ、前記入光面に光を照射する光源と
を備える面光源装置。
【請求項９】
壁面、天井面、床面に対向して設けられている
請求項８記載の面光源装置。
【請求項１０】
前記導光板の少なくとも一面が壁面、天井面、床面に接して設けられている
請求項８記載の面光源装置。
【請求項１１】
前記導光板の裏面側に化粧シートが設けられている
請求項８から１０までのいずれか１項記載の面光源装置。
【請求項１２】
壁面、天井面、床面、地面に埋め込まれた
請求項８から１１までのいずれか１項記載の面光源装置。
【発明の詳細な説明】
【技術分野】
【０００１】
本開示の実施形態は、導光板及び面光源装置に関する。
【背景技術】
【０００２】
面光源装置は、大別すると、光学部材の直下に光源を配置する直下型と、光学部材の側端面に光源を配置するエッジライト型に分類されている。エッジライト型の面光源装置は、直下型の面光源装置と比べて薄型化が可能となる点において優れている。
【０００３】
特許文献１に開示されたエッジライト型の面光源装置は、透光性の高いアクリル樹脂等で形成された導光板と、導光板の側端面（すなわち、入光面）に対面して配置された光源と、導光板の表面（すなわち、出光面）に対面して配置された拡散板と、導光板の裏面に配置されるとともに酸化チタン等の光拡散反射物質を含む散乱パターンと、を備えている。この面光源装置では、導光板の入光面から入射した光は、導光板の出光面と空気層との界面、又は導光板の裏面と空気層との界面で全反射を繰り返しながら、入光面側から該入光面の反対側へ向かう。そして、光が導光板の裏面に配置された散乱パターンに入射すると、該散乱パターンに含まれる光拡散反射物質で導光板の出光面に反射拡散され、該出光面から拡散板へ向かって出射する。
【先行技術文献】
【特許文献】
【０００４】
【特許文献１】特開平９−１７８９５２号公報
【発明の概要】
【発明が解決しようとする課題】
【０００５】
最近では、空間の雰囲気を演出してユーザに落ち着き感や快適感などを与える、いわゆる空間演出照明が注目されている。しかしながら、空間演出照明に適したグラデーション面光源を簡便な方法で実現するための導光板の特性についての検討は十分になされていなかった。
【０００６】
本開示の実施形態は、上記の点に鑑みてなされたものであり、空間演出照明に適したグラデーション面光源を簡便な方法で実現するための導光板を提供することを目的とする。
【課題を解決するための手段】
【０００７】
本発明の一観点によれば、光が入射する入光面と、前記入光面に交差する方向に配置されて前記入光面から入射した光を面上に出射する出光面とを有する導光板であって、前記出光面から出射される光の輝度分布が、前記入光面側からその反対側に行くにつれて減少し、かつ、その反対側の末端で非発光になるようにされており、１ｍｍあたりの吸光度が０．０１から０．０３までであり、かつ、１ｍｍあたりの内部ヘイズが０．５９から０．６４までの範囲であることを特徴とする導光板が提供される。
導光板を上記構成とすることで、３００ｍｍ程度の導光距離を有するグラデーションを実現することができる。
前記導光板の材料は、ポリ塩化ビニルであることが好ましい。これにより、難燃性を付与することができる。
【０００８】
前記入光面を含む少なくとも１つの面に、ハードコート層が設けられていることが好ましい。ハードコート層を設けることで、導光板の表面の傷つきを防止することができる。
前記入光面以外の少なくとも１つの面に、光吸収層または光反射層が設けられていることが好ましい。これにより、発光面以外の面からの漏れ光を防ぐことができる。
前記入光面を含む少なくとも１つの面に、無反射層または低反射層が設けられているようにしても良い。これにより、入光面での反射損失を抑制することができる。また、入光面以外では、消灯時に導光板を視認しにくくし、意匠性を損ねない。出光面からの光取り出し効率を向上する。
【０００９】
前記導光板の、入光面を含む少なくとも１つの面に、情報が印刷されているようにしても良い。これにより、点灯時、消灯時を問わず、看板として利用することができる。
また、少なくとも前記出光面に光を透過する意匠シートが設けられているようにしても良い。これにより、消灯時は通常の壁と同じ外観になる。
【００１０】
本発明は、上記に記載の導光板と、前記入光面と対面する位置に設けられ、前記入光面に光を照射する光源と、を備える面光源装置である。
上記面光源装置は、壁面、天井面、床面に対向して設けられていることが好ましい。これにより、消灯時に後ろ側の意匠を活かすことができる。
【００１１】
前記導光板の少なくとも一面が壁面、天井面、床面に接して設けられているようにすると良い。これにより、消灯時に後ろ側の意匠を活かすことができる。
前記導光板の裏面側に化粧シートが設けられていても良い。これにより、消灯時の後ろ側の意匠を化粧シートで演出することができる。
前記面光源装置は、壁面、天井面、床面、地面に埋め込まれていても良い。これにより、面光源装置を設置することで生じる凹凸を無くすことができる。
【発明の効果】
【００１２】
本発明によれば、空間演出照明に適したグラデーション面光源を簡便な方法で提供することができる。
【図面の簡単な説明】
【００１３】
【図１】第１実施形態の面光源装置を示す断面図である。
【図２】導光板の輝度分布を示す模式図である。
【図３】表１に示した導光板の１ｍｍあたりの吸光度の波長依存性を示す図である。
【図４】５種類の異なる材質の導光板を用いた場合の、面発光の様子を示す図である。
【図５】本実施形態による導光板の発光面側にハードコートを行った構造を示す断面図である。
【図６】第２実施形態の面光源装置を示す断面図である。
【図７】第３実施形態の面光源装置を示す断面図である。
【図８】第４実施形態の面光源装置を示す断面図である。
【図９】第５実施形態の面光源装置を示す断面図である。
【発明を実施するための形態】
【００１４】
以下、図面を参照して本開示の実施形態について説明する。図面の説明において同一の要素には同一符号を付し、重複する説明は省略する。なお、本件明細書に添付する図面においては、図示と理解のしやすさの便宜上、適宜縮尺及び縦横の寸法比等を実物のそれらとは変更し誇張してある。
【００１５】
また、本明細書において用いる、形状や幾何学的条件並びにそれらの程度を特定する、例えば、「直交」等の用語については、厳密な意味に縛られることなく、同様の機能を期待し得る程度の範囲を含めて解釈することとする。
【００１６】
さらに、本明細書において、「板」と「シート」、「層」と「シート」の用語は、呼称の違いのみに基づいており、互いに区別されるものではない。例えば、「板」はシートと呼ばれ得るような部材も含む概念である。従って、「導光板」とは、「導光シート」と呼称の相違のみにおいて区別されない。また、「光散乱層」とは、「光散乱シート」と呼称の相違のみにおいて区別されない。
【００１７】
＜第１実施形態＞
図１は第１実施形態の面光源装置を示す断面図である。本実施形態の面光源装置１は、エッジライト型の面光源装置であるが、通常の照明器具として用いられるものとは異なり、空間演出照明に用いられるものであり、空間の雰囲気を演出し、ユーザに優しい光空間を与える装置である。図１に示す装置により、空間演出照明に適した例えば１００ｍｍから５００ｍｍ程度の導光距離を有するグラデーション面光源を簡便な方法で提供することができる。光源２の波長は、例えば、可視光領域内であれば良い。尚、光源の波長、強度は発光させたい色、強度と導光板の吸収を鑑み、適宜設定することができる。
【００１８】
この面光源装置１は、例えば部屋の壁Ｗに取り付けられており、長尺状の光源２と、光源２の下方に設けられて該光源２からの光を面状に出射するための導光板３とを備えている。光源２には、発光ダイオード（ＬＥＤ、ＯＬＥＤを含む）、冷陰極管、白熱電球、レーザー発振装置等を用いることができるが、装置全体の小型化を図り易くする観点から、本実施形態では点状のＬＥＤが用いられている。従って、本実施形態の光源２は、長尺状の光源基板と、該光源基板に一定の間隔で実装された複数の点状ＬＥＤとからなる。
【００１９】
図１に示すように、光源２は補助建材４によって保持されている。補助建材４は、天井（図示せず）と壁Ｗとのつなぎ目を覆い、意匠性を向上させる部材である。補助建材４として、「回り縁」や「幅木」と呼ばれる部材を用いることができる。この補助建材４は、例えば接着、ネジ止め等で壁Ｗに固定されている。
【００２０】
導光板３は、矩形状の薄板を呈しており、互いに対向する一対の主面と、一対の主面の間に画成された４つの側端面とを有する。導光板３は、４つの側端面のうちの一つが光源２と対面するように、光源２の下方に配置されている。そして、この光源２と対面する側端面は、光源２からの光が入射する入光面３１とされている。該入光面３１とは反対側（すなわち、光源２から離れる側）の側端面は、入光面３１と対向する対向面３２である。この対向面３２は、入光面の「反対側の末端」に相当するものである。
【００２１】
一方、一対の主面のうち、部屋の内部に面する主面（言い換えれば、壁Ｗから離れた主面）は出光面３３とされ、該出光面３３とは反対側の主面（すなわち、壁Ｗに隣接する主面）は裏面３４とされている。出光面３３は、入光面３１と交差（例えば、９０°で直交する）しており、入光面３１から入射した光を部屋の内部に向かって出射する。導光板３は、例えば透光性の高いポリ塩化ビニル樹脂、アクリル樹脂、メタクリル樹脂、ＰＭＭＡ、ポリカーボネート等の樹脂材料によって形成されている。
【００２２】
なお、図示しないが、導光板３の出光面３３側には該出光面３３と対面する光拡散シート、裏面３４側には該裏面３４と対面する光反射シートがそれぞれ設けられても良い。光拡散シートには、光拡散機能を発揮し得る種々の構成を採用することができる。光拡散シートの拡散特性は、等方性であっても良く、異方性であっても良い。
光拡散シートを用いると、表面の光沢を無くし、周囲に違和感なく溶け込むことができる。また、光をより広範囲に広げることができ、異方性があれば任意の方向への光を増減することができる。
尚、光拡散シートは、光拡散シートのヘイズ値として１から３０までの値を有するのが好ましい。このヘイズ値の範囲より低いと光拡散シートの効果が得られず、このヘイズ値の範囲より大きいと白濁してしまい逆に周囲の外観に溶け込めない。
【００２３】
一方、光反射シートには、白色の散乱反射シート、金属等の高い反射率を有する材料からなるシート、高い反射率を有する材料からなる薄膜（例えば金属薄膜）を表面層として含んだシート等を用いることができる。該光反射シートでの反射は、鏡面反射（正反射）でも良く、拡散反射でも良い。
光反射シートを用いると、出光面への光の取り出しを増やし、光の利用効率を増加することができる。
光反射シートは、その反射率が５％〜８５％までの範囲であることが好ましい。
反射率がこれより低いと光反射シートの効果を得られず、反射率がこれより高いと完全な鏡面となってしまい導光板を通して背後の意匠を視認することが出来ず、周囲の外観に溶け込めない。
【００２４】
図１に示すように、導光板３と壁Ｗとの間には、化粧シート５が介在されている。化粧シート５は、周囲との統一感を得られるために、壁Ｗ全面に貼り付けられることが好ましい。この化粧シート５には、紙系の化粧シートや樹脂系の化粧シート（例えば木質調化粧シート、鏡面調化粧シート）等を用いることができる。
【００２５】
このように構成されたエッジライト型の面光源装置１では、光源２から出射した光は、入光面３１を介して導光板３に入射する。導光板３に入射した光は、出光面３３と空気層との界面、又は裏面３４と空気層との界面で全反射を繰り返しながら、入光面３１側から対向面３２側に進み、更に出光面３３から部屋の内部に向かって出射する。
【００２６】
図２は、導光板３の輝度分布を示す模式図である。本実施形態において、導光板３は、出光面３３から出射される光の輝度分布が入光面３１側から対向面３２側（図１においては、上方から下方に）に行くにつれて漸減し、且つ対向面３２で非発光になるように、形成されている。すなわち、３００ｍｍ程度の導光距離を有するグラデーション面光源を１つの目標としている。具体的には、図２右側の輝度分布グラフに示すように、入光面３１での輝度が最も大きく、入光面３１から対向面３２に行くに従って下に凸の曲線を描くように輝度が緩やかに減少し、そして、対向面３２で非発光になっている。ここでの「非発光」とは、輝度が完全に０になるものが入るのは勿論であるが、輝度ピーク値に対して例えば約２０％まで低減される範囲以内のことを含む意味である。
【００２７】
なお、ここで、輝度分布グラフとしては、入光面３１から対向面３２に行くに従って下に凸の曲線を描くように輝度が緩やかに減少し、且つ対向面３２での輝度がほぼ０になっても良く、或いは、入光面３１から対向面３２に行くに従って下に輝度が直線状に緩やかに減少し、且つ対向面３２での輝度がほぼ０になっても良い。
【００２８】
このように構成された面光源装置１によれば、導光板３は、出光面３３から出射される光の輝度分布が入光面３１側から対向面３２側に行くにつれて漸減し、且つ対向面３２で輝度がほぼ０になるように形成されている。このため、出光面３３から出射される光は、入光面３１側で明るく、入光面３１側から対向面３２側に行くにつれて徐々に暗くなっていき、そして、対向面３２側で化粧シート５と溶け込むことができる。このように明暗のグラデーションを付加することで、面光源装置１の光源としての存在感を薄めることができるとともに、空間の雰囲気を演出することができる。
【００２９】
しかも、輝度分布が入光面３１側から対向面３２側に行くにつれて漸減するので、出光面３３での輝度の段差が生じずに、出光面３３での表面反射を抑制することができる。加えて、対向面３２での輝度がほぼ０になるので、該対向面３２からの漏れ光の発生を防止できる。その結果、面光源装置１の光源としての存在感を更に薄めることができ、該面光源装置１が違和感なく周囲に溶け込むことができるので、落ち着き感や快適感といった付加価値を空間にもたらすことが可能となり、空間の雰囲気を効果的に演出することができる。また、面光源装置１が非点灯のときは、導光板３を通して壁Ｗの壁面の意匠を観察できるので、面光源装置１の存在を意識しなくなる。
【００３０】
以下に、本実施形態の導光板３の特性について詳細に説明する。
表１は、本実施形態の導光板３の材質と特性を示す表である。併せて、比較例として用いた導光板３についても示している。また、図３は、表１に示した導光板３の１ｍｍあたりの吸光度の波長依存性を示す図である。図４は、５種類の異なる材質による導光板を用いた場合の、面発光の様子を示す図である。
【００３１】
【表１】
2019029201.tif 000003
【００３２】
表１に示すように、本実施形態では、導光板１）と導光板２）の２種類の導光板３を用いた。
導光板１），２）は、全光線透過率Ｔｔが、それぞれ、７５．２，８２．４である。また、拡散透過率Ｔｄが、それぞれ４．２，５．７である。従って、内部ヘイズは、３．２，３．０である。
また、ヘイズが厚みに対して比例すると仮定した場合の単位厚み当たりの内部ヘイズは、それぞれ、０．６４，０．５９である。
【００３３】
図４より求めた導光距離（ｍｍ）は、着色して導光した場合で、それぞれ、１２０ｍｍ，２４０ｍｍであり、白色光の場合には、それぞれ、６０ｍｍ，１２０ｍｍである。
【００３４】
一方、比較例として用いた導光板は、導光板３）から導光板５）までである。それぞれのＴｔ，Ｔｄ、内部ヘイズ、単位厚み当たりの内部ヘイズも表１に示した。
尚、ヘイズ値は、ヘーズメーター（村上色彩技術研究所製（ＨＭ−１５０）を用い、ＪＩＳ  Ｋ  ７１３６準拠して測定した。
図４より求めた導光距離（ｍｍ）は、着色して導光した場合で、それぞれ３０ｍｍ，０ｍｍ，３００ｍｍ以上であり、白色の導光の場合には、それぞれ、３０ｍｍ，０ｍｍ，３００ｍｍ以上である。
【００３５】
また、図３に示すように、可視光波長帯域に対応する４００ｎｍから８００ｎｍの波長帯域における吸光度を、表１に示す各材質の導光板において測定した。
吸光度は、以下のように測定した。
分光光度計（日本分光製  Ｙ６７０）を用い、下記条件において測定した。
測定モード：Ａｂｓ
波長：４００ｎｍ〜８００ｎｍ
ステップ：１ｎｍ
【００３６】
図３に示すように、視光波長帯域に対応する４００ｎｍから８００ｎｍの波長帯域における吸光度は、導光板１）、２）で、０．０１〜０．０３の間に入っている。一方、導光板３）では、吸光度が０．０９以上であり、導光板４）、導光板５）では、吸光度は０．０１以下である。
以上の結果から、３００ｍｍ程度の導光距離を有するグラデーション面光源に適した導光板の材質は、以下の条件を満たすことが望ましい。
１）１ｍｍあたりの吸光度が０．０１〜０．０３
尚、吸光度がこれより高いとすぐに減衰してしまい、光が広がらない。吸光度がこれより低いと、均一に近くなり、グラデーションとならない。すなわち、３００ｍｍ程度の所望の距離で消え切らない。
２）１ｍｍあたりの内部ヘイズが０．５９〜０．６４である。
ここで、ヘイズが厚みに対して比例すると仮定した。１ｍｍ当たりの内部ヘイズがこれより高いと、すぐに光が拡散してしまい、光が導光板に広がらない。一方、１ｍｍ当たりの内部ヘイズがこれより低いと、光が発光面側から出てこない。
【００３７】
以上のように、本実施形態によれば、光が入射する入光面と、その入光面に交差する方向に配置されて入光面から入射した光を面上に出射する出光面とを有する導光板において以下の条件により、出光面から出射される光の輝度分布が、入光面側からその反対側に行くにつれて減少し、かつ、その反対側の末端で輝度がほぼ０になる導光板を提供することができる。
１）１ｍｍあたりの吸光度が０．０１〜０．０３の範囲である。
２）１ｍｍあたりの内部ヘイズが０．５９から０．６４の範囲である。
例えば、ポリ塩化ビニル製の導光板に用いることで、上記の範囲とすることができる。さらに、難燃性を付与することができる。
【００３８】
なお、図示しないが、本実施形態において、導光板３の出光面３３に光を透過する意匠シートを設けても良い。意匠シートは上述の化粧シート５と同じであることが望ましい。意匠シートは紙・樹脂・布等のいずれも含んでも良い。そして、意匠シートと出光面３３との間には、空気層、接着層、粘着層が介在されても良い。
【００３９】
このようにすると、消灯時は通常の壁と同じ外観となる。意匠シートの透過率が５％〜５０％が好ましい。これ以上の値では、パネルが透けて見えてしまう。また、これ以下の値だと、光の取り出し効率が低くなり、光源として機能しなくなる。
上記範囲内で内部ヘイズの面内分布を変えてもよい。これにより導光距離や発光強度を変えることができ、意匠に幅を持たせることができる。
また、面光源装置を、壁面、天井面、床面、地面に埋め込めば、面光源装置を設置することで生じる凹凸を無くすことができる。
【００４０】
＜ハードコート層３６＞
図５は、本実施形態による導光板３の出光面３３側にハードコート層３６を行った構造を示す断面図である。
ハードコート層３６として、硬度を高めるために表面に形成した硬質皮膜を用いることができる。或いは、ハードコート層３６を塗布されたフィルムを貼りつけてもよい。
ハードコート層３６は、ガラス、プラスチックシート、プラスチックレンズ、樹脂フィルム、表示装置前面板等の基材表面の耐擦傷性を向上させるため、基材表面にハードコート層３６を形成することが知られており、このようなハードコート層３６として有機樹脂膜あるいは無機膜をガラスやプラスチック等の表面に形成することが行われている。さらに、有機樹脂膜あるいは無機膜中に樹脂粒子あるいはシリカ等の無機粒子を配合してさらに耐擦傷性を向上させることが行われている。
このように、入光面を含む少なくとも１つの面に、ハードコート層３６を設けることで、導光板３Ａ表面の傷つきを防止することができる。
【００４１】
尚、本実施形態の面光源装置は、壁面、天井面、床面に対向して設けられていても良い。或いは。導光板３Ａの少なくとも一面が壁面、天井面、床面に接して設けられているようにしても良い。このように配置することで、消灯時に後ろ側の意匠を活かすことができる。
【００４２】
＜第２実施形態＞
図６は第２実施形態の面光源装置を示す断面図である。本実施形態の面光源装置１Ａは、導光板３の対向面３２に光吸収層４１が更に設けられる点において、第１実施形態と異なっている。その他の構成は第１実施形態と同様であるので、重複説明を省略する。
【００４３】
光吸収層４１は、例えば光を吸収する顔料、炭素主体のガーボンブラック、着色顔料、染料等を分散した樹脂を塗布することで形成されても良く、若しくはこれらの材料を含むフィルムを貼り付けることで形成されても良い。
【００４４】
本実施形態の面光源装置１Ａによれば、上述の第１実施形態と同様な作用効果を得られるほか、導光板３の対向面３２に光吸収層４１が設けられているので、仮に該対向面３２からの漏れ光が生じても、漏れ光が光吸収層４１に吸収されるので、外部への出射を防止できる。このため、対向面３２からの漏れ光の発生をより確実に防止することができる。加えて、対向面３２からの反射光により対光面近傍の輝度の上昇を防ぐことが可能となる。
【００４５】
＜第３実施形態＞
図７は第３実施形態の面光源装置を示す断面図である。本実施形態の面光源装置１Ｂは、導光板３の対向面３２に光反射層４２が更に設けられる点において、第１実施形態と異なっている。その他の構成は第１実施形態と同様であるので、重複説明を省略する。
【００４６】
光反射層４２は、上述の光反射シートと同じものを用いても良く、又はアルミや銀などの金属、誘電体多層膜を成膜することで形成されても良く、若しくは金属粒子や白顔料を分散した樹脂を塗布することで形成されても良く、若しくはこれらの材料を含むフィルムを貼り付けることで形成されても良い。
【００４７】
本実施形態の面光源装置１Ｂによれば、上述の第１実施形態と同様な作用効果を得られるほか、導光板３の対向面３２に光反射層４２が設けられているので、仮に該対向面３２からの漏れ光が生じても、漏れ光が光反射層４２によって導光板３の内部に折り返されるので、外部への出射を防止できる。このため、対向面３２からの漏れ光の発生をより確実に防止することができる。また、光反射層４２の効果として、外側から見たときに化粧シート５の意匠が反射して見えるので、境目が目立たなくなる。導光板３の裏面３４側に化粧シート５を設けることで、消灯時の後ろ側の意匠を化粧シート５で演出することができる。
尚、入光面を含む少なくとも１つの面に、情報を印刷しても良い。情報とは、例えば、公告などを含む。これにより、点灯時、消灯時問わず、看板として利用することができる。
【００４８】
＜第４実施形態＞
図８は第４実施形態の面光源装置を示す断面図である。本実施形態の面光源装置１Ｃは、導光板３の対向面３２に光反射層４２及び壁材部４３が更に設けられる点において、第１実施形態と異なっている。その他の構成は第１実施形態と同様であるので、重複説明を省略する。
【００４９】
具体的には、対向面３２には、内側から外側に向かって光反射層４２と壁材部４３とが順に形成されている。壁材部４３は、例えば壁Ｗと同じ材料によってシート状に形成されており、光反射層４２を覆うように接着等で光反射層４２と貼り付けられている。
【００５０】
本実施形態の面光源装置１Ｃによれば、上述の第１実施形態と同様な作用効果を得られるほか、導光板３の対向面３２に光反射層４２が設けられているので、仮に該対向面３２からの漏れ光が生じても、漏れ光が光反射層４２によって導光板３の内部に折り返されるので、対向面３２からの漏れ光の発生をより確実に防止することができる。更に、光反射層４２を覆う壁材部４３が設けられるので、対向面３２を含む導光板３の下部の突出感を低減する効果を奏する。その結果、導光板３の下部が目立たなくなり、周囲と溶け込むことが可能になる。
【００５１】
＜第５実施形態＞
図９は第５実施形態の面光源装置を示す断面図である。本実施形態の面光源装置１Ｄは、導光板３の対向面３２がテーパ状に形成され、且つ出光面３３及び対向面３２に無反射層４４が設けられる点において、第１実施形態と異なっている。その他の構成は第１実施形態と同様であるので、重複説明を省略する。
或いは、導光板３の厚みが入光面から離れるにつれて薄くなる（出光面がテーパ状に形成されている）ように構成しても良い。
【００５２】
図９に示すように、入光面３１の反対側の対向面３２は、壁Ｗ側に向かって傾斜するようにテーパ状に形成されている。そして、出光面３３及び対向面３２には、無反射層４４が塗布されている。無反射層４４には、既に周知される技術を用いることができる。また、ここで、裏面３４にも無反射層４４を更に設けても良い。また、無反射層４４に代えて低反射層を用いても良い。
【００５３】
本実施形態の面光源装置１Ｄによれば、上述の第１実施形態と同様な作用効果を得られるほか、対向面３２が壁Ｗ側に向かって傾斜するようにテーパ状に形成されているので、対向面３２を含む導光板３の下部の突出感を低減する効果を奏する。その結果、導光板３の下部が目立たなくなり、周囲と溶け込むことが可能になる。更に、出光面３３及び対向面３２に無反射層４４が設けられるので、これらの面における表面反射の発生を更に抑制することができる。
【００５４】
＜実施例１＞
以下に、上記の実施の形態で用いた導光板１）から導光板５）までについて具体的に説明する。
１ｍｍあたりの吸光度が０．０１〜０．０３の範囲であり、１ｍｍあたりの内部ヘイズが０．５９から０．６４の範囲内にある導光板１）、導光板２）のような材料としては、限定するものではないが、例えば、タキロンシーアイ社製のＥＳＳ８８００とＲＴＳ１１０ＰＥなどのポリ塩化ビニル（塩ビ）を用いることができる。
また、１ｍｍあたりの吸光度が０．０１〜０．０３の範囲外であるか、１ｍｍあたりの内部ヘイズが０．５９から０．６４の範囲外である導光板３）、導光板４）、導光板５）は、それぞれ、旭化成テクノプラス株式会社のデラグラスＡＬ  ９９７、三菱ケミカル株式会社のアクリライト  L００１、三菱ケミカル株式会社のアクリライト  L４３５である。
尚、本実施例１で例示的に説明した材料は、単なる例示であり、これらの材料に限定されるものではなく、材料そのもの或いは、それを加工した材料として、上記のように、１ｍｍあたりの吸光度が０．０１〜０．０３の範囲であり、１ｍｍあたりの内部ヘイズが０．５９から０．６４の範囲内にある導光板であれば、本発明の範囲内に入るものである。
【００５５】
上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
また、本発明の各構成要素は、任意に取捨選択することができ、取捨選択した構成を具備する発明も本発明に含まれるものである。
【符号の説明】
【００５６】
１，１Ａ，１Ｂ，１Ｃ，１Ｄ    面光源装置
２    光源
３，３Ａ    導光板
４    補助建材
５    化粧シート
３１    入光面
３２    対向面
３３    出光面
３４    裏面
３６    ハードコート層
４１    光吸収層
４２    光反射層
４４    無反射層
Ｗ    壁
【図１】
2019029201.tif 000004
【図２】
2019029201.tif 000005
【図３】
2019029201.tif 000006
【図４】
2019029201.tif 000007
【図５】
2019029201.tif 000008
【図６】
2019029201.tif 000009
【図７】
2019029201.tif 000010
【図８】
2019029201.tif 000011
【図９】
2019029201.tif 000012